(57)【要約】【課題】軽量で取扱い性に優れ、不使用時には省スペースで保管が可能であり、かつ、切断屑の回収も容易な工作用作業ボードを提供する。【解決手段】一方向に延びる中空部が複数、並列して形成された中空樹脂板と、該中空樹脂板の一面に形成された発泡樹脂層とを有し、前記発泡樹脂層の表面から前記中空樹脂板の他面に向かって、所定の深さで前記中空部に対して直交方向に延びる切込部が１つないし複数形成されていることを特徴とする。【選択図】図１
2020093458.tif 000002
【特許請求の範囲】
【請求項１】
一方向に延びる中空部が複数、並列して形成された中空樹脂板と、該中空樹脂板の一面に形成された発泡樹脂層と、を有し、
前記発泡樹脂層の表面から前記中空樹脂板の他面に向かって、所定の深さで前記中空部に対して直交方向に延びる切込部が１つないし複数形成されていることを特徴とする工作用作業ボード。
【請求項２】
前記切込部を境界にして、前記中空樹脂板の他面側を谷折りにして折り畳めることを特徴とする請求項１記載の工作用作業ボード。
【請求項３】
前記中空樹脂板の他面には、目盛りが形成されていることを特徴とする請求項１または２記載の工作用作業ボード。
【請求項４】
前記中空樹脂板は、ポリプロピレンまたはポリカーボネートからなることを特徴とする請求項１から３のいずれか一項に記載の工作用作業ボード。
【発明の詳細な説明】
【技術分野】
【０００１】
本発明は、切断作業時に床面や机面を保護するために用いる工作用作業ボードに関する。
【背景技術】
【０００２】
近年、小規模な修繕や家具等を自作する、所謂、ＤＩＹを行う人が増えている。こうしたＤＩＹにおいて、木板などを切断することは基本的な作業の１つである。木板などを室内で切断する際には、床面や作業机の机面を保護したり、切断屑の飛散を防止するために、保護部材を敷いておくことが多い。保護部材としては、例えば段ボールや新聞紙などを流用するか、あるいは専用の工作用作業用ボードを用いることが一般的である（例えば、特許文献１を参照）。
【先行技術文献】
【特許文献】
【０００３】
【特許文献１】特開２０１５−２０２４８号公報
【発明の概要】
【発明が解決しようとする課題】
【０００４】
しかしながら、保護部材として段ボールや新聞紙など流用した場合、被切断物を切断する切断刃が容易に貫通してしまい、床面や作業机の机面を傷つけてしまう懸念がある。また、切断作業時に床面や作業机の机面から滑ってしまったり、集合住宅では切断音が階下に伝わりやすいという課題もある。
【０００５】
一方、特許文献１に示すようなカッティングマットは、カッターナイフなどを用いた切断作業を想定したものであり、例えば、鋸などを用いた木板の切断は想定していないので、切断屑を回収することが容易ではない。また、こうしたカッティングマットは、多くの場合、中実のゴムシートや樹脂シートから構成され、重量が重く、不使用時の保管にも広いスペースが必要になるなどの課題があった。
【０００６】
この発明は、前述した事情に鑑みてなされたものであって、軽量で取扱い性に優れ、不使用時には省スペースで保管が可能であり、かつ、切断屑の回収も容易な工作用作業ボードを提供することを目的とする。
【課題を解決するための手段】
【０００７】
上記の課題を解決するために、本発明の工作用作業ボードは、一方向に延びる中空部が複数、並列して形成された中空樹脂板と、該中空樹脂板の一面に形成された発泡樹脂層と、を有し、前記発泡樹脂層の表面から前記中空樹脂板の他面に向かって、所定の深さで前記中空部に対して直交方向に延びる切込部が１つないし複数形成されていることを特徴とする。
【０００８】
また、本発明では、前記切込部を境界にして、前記中空樹脂板の他面側を谷折りにして折り畳めるようにされていてもよい。
【０００９】
また、本発明では、前記中空樹脂板の他面には、目盛りが形成されていてもよい。
【００１０】
また、本発明では、前記中空樹脂板の他面には、切断作業時の切断方向が、前記中空部の延長方向に対して直角に延びる方向であることを示す指標が形成されていてもよい。
【００１１】
また、本発明では、前記中空樹脂板は、ポリプロピレンまたはポリカーボネートから構成されていても良い。
【発明の効果】
【００１２】
本発明によれば、軽量で取扱い性に優れ、不使用時には省スペースで保管が可能であり、かつ、切断屑の回収も容易な工作用作業ボードを提供することが可能になる。
【図面の簡単な説明】
【００１３】
【図１】本発明の一実施形態の工作用作業ボードを示す斜視図である。
【図２】工作用作業ボードを折り畳んだ状態を示す平面図である。
【図３】工作用作業ボードを利用した切断作業時の様子を示す模式図である。
【図４】工作用作業ボードでの切断作業後の切断屑の回収の様子を示す模式図である。
【発明を実施するための形態】
【００１４】
以下、図面を参照して、本発明の一実施形態の工作用作業ボードについて説明する。なお、以下に示す実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１５】
（端部取付部材、壁面構造）
図１は、本発明の一実施形態の工作用作業ボードを示す斜視図である。
工作用作業ボード１０は、中空樹脂板１１と、この中空樹脂板の一面１１ａに形成された発泡樹脂層１２と、を有している。
【００１６】
中空樹脂板１１は、厚み方向に沿った内部に、一方向に延びる中空部１３，１３…が複数、並列して形成されている。個々の中空部１３は、例えば断面が矩形を成し、中空樹脂板１１の対向する２辺に平行になるように形成されている。
【００１７】
中空樹脂板１１は、例えばポリプロピレンやポリカーボネートなどから構成され、押出成型によって成形されている。
また、中空樹脂板１１の厚みは、例えば、２．０ｍｍ〜１０．０ｍｍ程度である。
【００１８】
発泡樹脂層１２は、例えば、発泡ポリエチレンシートや発泡ポリスチレンシートなどから構成される。中空樹脂板１１の一面１１ａと発泡樹脂層１２とは、熱接着により接合されている。なお、中空樹脂板１１と発泡樹脂層１２とは、熱接着以外にも、例えば、接着剤や両面接着シートなどによって接合されていても良い。
【００１９】
こうした工作用作業ボード１０は、全体を２分割する位置において、発泡樹脂層１２の表面１２ａから中空樹脂板１１の他面１１ｂに向かって、所定の深さで切込部１４が形成されている。この切込部１４は、中空部１３に対して直交方向に延びるように形成する。切込部１４の深さは、発泡樹脂層１２の表面１２ａから中空樹脂板１１の他面１１ｂの手前側、例えば、中空樹脂板１１の他面１１ｂ側が０．５ｍｍ〜１ｍｍ程度残るように形成される。なお、切込部１４は、中空樹脂板１１の厚みの半分程度〜２ｍｍ程度の深さまで切込を形成した後、この切込から中空樹脂板１１の他面１１ｂ側どうしを対面させるように折り曲げることによって、切込がより深くなり、上述したように中空樹脂板１１の他面１１ｂ側が例えば０．５ｍｍ〜１ｍｍ程度残るように形成することができる。
【００２０】
図２は、工作用作業ボードの切込部を手前側にして折り畳んだ状態を示す平面図である。図２に示すように、工作用作業ボード１０は、上述したような切込部１４によって、中空樹脂板１１の他面１１ｂ側を谷折りにして２つに折り畳むことができる。なお、こうした切込部１４は、本実施形態では全体を２分割する位置に１か所形成しているが、これ以外にも、工作用作業ボード１０の全体を３分割する位置に２カ所形成したり、全体を４分割する位置に３カ所形成するなど、工作用作業ボード１０を任意の位置で折り畳むことが可能になるように形成することができる。
【００２１】
例えば、切込部１４を工作用作業ボード１０の全体を３分割する位置に２カ所形成して、中空樹脂板１１の中央部分に重ねるように、中空樹脂板１１の両側を谷折りにすれば、使用時に比べてサイズを３分の１にすることができる。なお、この場合、２つの切込部１４のうち、一方の切込部１４が工作用作業ボード１０の厚み分を巻き込んで屈折できるように、幅のある凹状に形成することが好ましい。
【００２２】
中空樹脂板１１の他面１１ｂは、工作用作業ボード１０を用いて部材の切断作業等を行う際の作業面である。この中空樹脂板１１の他面１１ｂには、作業時の切断位置等を把握するための目安となる目盛り１５が形成されている。
【００２３】
また、中空樹脂板１１の他面１１ｂには、作業時の角度や直径などを把握するための同心円１６が形成されている。
こうした目盛り１５や同心円１６は、中空樹脂板１１の他面１１ｂにプリントすることで形成すればよい。
【００２４】
また、中空樹脂板１１の他面１１ｂには、部材等の切断作業時の切断方向を示す矢印（指標）１７が形成されても良い。工作用作業ボード１０を用いて部材の切断作業を行う際には、中空部１３の延長方向Ｌに対して直角に延びる方向にすることが好ましい。これにより、切断作業時に誤って鋸歯などが中空部１３まで達しても、中空樹脂板１１の他面１１ｂ側の壁面が中空部１３の延長方向Ｌに沿って割れることがない。
【００２５】
以上の様な構成の本実施形態の工作用作業ボード１０を用いれば、ＤＩＹでの切断作業などにおいて、床面や作業台の机面の損傷を防止することができる。例えば、図３に示すように、木材Ｗを鋸Ｃで切断する際に、他面（作業面）１１ｂが上側になるように工作用作業ボード１０を敷設することで、鋸Ｃが木材Ｗを切り抜いても、鋸刃によって床面が損傷することを防止できる。
【００２６】
また、工作用作業ボード１０が床面や作業台の机面に接する側に発泡樹脂層１２を形成することによって、鋸による切断作業など工作用作業ボード１０を往復動させるような応力が加わっても、工作用作業ボード１０が床面や作業台の机面から滑り動いてしまうことを防止し、高い作業性を得ることができる。
【００２７】
また、発泡樹脂層１２は、工作用作業ボード１０の使用時に、工具などによって工作用作業ボード１０に加わる衝撃を緩和する、優れたクッション性を発揮することができる。
さらに、発泡樹脂層１２は、例えば切断作業などにおいて生じる切断音など作業音が、工作用作業ボード１０から床面を介して外部に響くことを抑制し、優れた防音性を発揮することができる。
【００２８】
また、切断時に生じる切断屑を工作用作業ボード１０によって受け止めることで、床面に切断屑が飛散することを防止できる。この時生じた切断屑は、工作用作業ボード１０を切込部１４に沿って２つ折りにする際に、中空樹脂板１１の他面１１ｂ側の屈折部分に集めることができ（図４を参照）、容易に切断屑の処理を行うことができる。
【００２９】
そして、こうした工作用作業ボード１０は、中空部１３を有する中空樹脂板１１に発泡樹脂層１２を設けた簡易な構成であるため、軽量で取扱い性に優れ、かつ低コストに製造することができる。
また、切込部１４によって他面１１ｂ側どうしを対面させるように折り畳むことができるので、省スペースで保管しておくことができる。
【００３０】
また、本発明の工作用作業ボード１０を正方形に形成すれば、複数枚の工作用作業ボード１０を配置して広い作業面を得る際に、縦横の長さを考慮せずに並べることができ、複数枚の工作用作業ボード１０の配置作業を容易にすることができる。
【００３１】
また、工作用作業ボード１０は、柔軟なゴムシート製などの作業マットと比較して、厚みが厚く剛性がある中空樹脂板１１を有することで、複数枚の工作用作業ボード１０を配置する際に、隣接する工作用作業ボード１０の端部どうしが互いに重なってしまうといったことがなく、複数枚の工作用作業ボード１０の配置作業を容易にすることができる。
【００３２】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１０…工作用作業ボード
１１…中空樹脂板
１２…発泡樹脂層
１３…中空部
【図１】
2020093458.tif 000003
【図２】
2020093458.tif 000004
【図３】
2020093458.tif 000005
【図４】
2020093458.tif 000006